(57)【要約】【課題】            従来、手術、特に四肢の関節手術にあって、切開部位を洗浄する水の受け容器として専用の物が存在していないという点で、そのため、多くの人手や時間、種々の器具類を無駄に浪費してしまっていたという点である。【解決手段】        上面を開口とし、その開口縁に対象となる四肢を架置するための切り欠き凹部を形成し、底面には液を集中させる傾斜が形成されており、その底面の上方にはフィルター材が設けられており、かつ、前記した底面の傾斜と対応する位置に吸引チューブの接続部が設けられていることとする。【選択図】          図１
2018007737.tif 000002
【特許請求の範囲】
【請求項１】
上面を開口とし、その開口縁に対象となる四肢を架置するための切り欠き凹部を形成し、底面には液を集中させる傾斜が形成されており、その底面の上方にはフィルター材が設けられており、かつ、前記した底面の傾斜と対応する位置に吸引チューブの接続部が設けられていることを特徴とする手術用の洗浄液受けトレイ。
【請求項２】
前記したフィルター材は網であることを特徴とする請求項１に記載の手術用の洗浄液受けトレイ。
【請求項３】
前記した傾斜は、三角形をした基板と、その基板の両側縁にガイド用の三角形をした側板とを有していることを特徴とする請求項１または２に記載の手術用の洗浄液受けトレイ。
【請求項４】
上面開口のサイズよりも底面サイズは小さく形成されていることを特徴とする請求項１から３のうち１項に記載の手術用の洗浄液受けトレイ。
【請求項５】
下面四隅には据え置き用の脚体を備えていることを特徴とする請求項１から４のうち１項に記載の手術用の洗浄液受けトレイ。
【発明の詳細な説明】
【技術分野】
【０００１】
本発明は手術用の洗浄液受けトレイに関し、特に四肢の関節である肘や膝の手術時に用いられる洗浄液受けトレイに関する。
【背景技術】
【０００２】
前記した関節の手術時には対象部位を切開した後に、その部位を水によって洗浄するが、その洗浄水の受け容器がないと、手術台周域は水浸しとなってしまう。そこで従来は専用の受容器が存在していないため、膿盆を代用品として使用していた。
【０００３】
しかしながら、膿盆は当初より使用目的が異なっているもので、水液の容量も少量に限られるため、多くのスタッフがその交換や処理にたずさわることとなっており、加えて、対象となる四肢を支持し、必要な浮いた状態に維持しておくにも多くの人員や器具を要するのが実情となっている。
【先行技術文献】
【特許文献】
【０００４】
出願人は、本願発明について、先行する技術文献を調査したが、格別に本願発明と関連し、類似していると思われる文献は発見できなかった。
【発明の概要】
【発明が解決しようとする課題】
【０００５】
本発明が解決しようとする問題点は、従来、手術、特に四肢の関節手術にあって、切開部位を洗浄する水の受け容器として専用の物が存在していないという点で、そのため、多くの人手や時間、種々の器具類を無駄に浪費してしまっていたという点である。
【課題を解決するための手段】
【０００６】
上記した問題点を解決するために、本発明に係る手術用の洗浄液受けトレイは、上面を開口とし、その開口縁に対象となる四肢を架置するための切り欠き凹部を形成し、底面には液を集中させる傾斜が形成されており、その底面の上方にはフィルター材が設けられており、かつ、前記した底面の傾斜と対応する位置に吸引チューブの接続部が設けられていることを特徴としている。
【０００７】
また、本発明に係る手術用の洗浄液受けトレイは、前記したフィルター材は網であることを特徴としている。
【０００８】
さらに、本発明に係る手術用の洗浄液受けトレイは、前記した傾斜は、三角形をした基板と、その基板の両側縁にガイド用の三角形をした側板とを有していることを特徴としている。
【０００９】
そして、本発明に係る手術用の洗浄液受けトレイは、上面開口のサイズよりも底面サイズは小さく形成されていることを特徴としている。
【００１０】
また、本発明に係る手術用の洗浄液受けトレイは、下面四隅には据え置き用の脚体を備えていることを特徴としている。
【発明の効果】
【００１１】
本発明に係る手術用の洗浄液受けトレイは上記のように構成されている。そのため、四肢の手術対象部位を、このトレイ上に浮かせた状態で支持することができ、切開部分の洗浄液は、そのトレイの底部に受け溜めることができ、その溜まった洗浄水は吸引チューブによって外部へ放出廃棄することができ、手術台の周域を汚損させてしまうことがなく、多くのスタッフによるサポートは不要となる。
【００１２】
また、フィルター材によって、骨屑等が底部へ落下してしまうのを防止でき、吸引作業の詰まりを未然に防止することができ、底面のサイズを上面より小さくすることで、狭い手術台にもセットすることが容易となる。
【図面の簡単な説明】
【００１３】
【図１】本発明を実施した手術用の洗浄液受けトレイの斜視図である。
【図２】同じく底部の斜視図である。
【発明を実施するための形態】
【００１４】
図面として示し、実施例で説明したように構成したことで実現した。
【実施例１】
【００１５】
次に、本発明の好ましい実施の一例を図面を参照して説明する。図中１は本発明を実施した手術用の洗浄液受けトレイ本体を示しており、このトレイ本体１はステンレス等の金属、あるいは必要に応じてＦＲＰをはじめとするプラスチックで成形されている。
【００１６】
このトレイ本体１は上面２が開口され、下方が小さくなる長方角台錐状の外形となっており、その長手方向に沿って対向する壁面の開口縁上部には各々弧状とした切り欠き凹部２ａ、２ｂが形成され、その切り欠き凹部２ａ、２ｂに手術対象となる四肢、即ち、腕もしくは足を架け渡して架置するものとなっている。この切り欠き凹部２ａ、２ｂに四肢を架置することで手術部位である肘や膝が浮いた状態で支持され、位置決めされることとなる。
【００１７】
また、このトレイ本体１の底面３は傾斜が形成されており、その傾斜はトレイ本体１の長手方向に沿った方向に前記した切り欠き凹部２ａが形成されている壁面の底縁を底辺とする三角形をした基板３ａと、その基板３ａの両側面に形成された三角状のガイド板３ｂ、３ｃとで構成され、前記した基板３ａの頂点部分３ｄに液が流れ、集約されるものとなっている。
【００１８】
さらに、前記した上面２と底面３の間にはフィルター材としての網４が設けられている。本実施例では、この網４は周囲に枠５を設けた矩形のものとなっている。この枠５は設けなくともよいが、トレイ本体１の内壁面へのセットのため、あった方が有益である。また、フィルター材として網４ではなく、格子やペーパーフィルター、その他のフィルター材を使用することも当然に可能であり、この網４をはじめとするフィルター材は目詰まりの洗浄の煩わしさを考慮すると、使い捨てとすることも可能である。
【００１９】
一方、図中６、６‥は底面３の外部四隅に設けられた据え置き用の脚体であり、この脚体６、６‥により、手術台上の所定の位置にトレイ本体１を設置することができる。この設置スペースは、上面２よりも底面３のサイズが小さく構成されているため、小さくて済むようになっている。
【００２０】
また、図中７は底面３に混入した洗浄液の取り出し（吸い出し）口を示しており、取り出し口７は切り欠き凹部２ｂ側で底面３における基板３ａの頂点３ｄ部位と対応し、洗浄後の溜まった状況と対応するものとなっている。この取り出し口７には別途図示しない吸引用チューブが接続され洗浄液をトレイ本体１の外部へ取り出し廃棄するものとなっている。
【００２１】
本実施例に係る手術用の洗浄液受けトレイは上記のように構成されている。上面２の切り欠き凹部２ａ、２ｂに四肢を架け渡して架置し、対象となる肘、膝等の患部を浮かせた状態で位置決めすることで手術作業は非常に楽となり、切開部分の洗浄液（水）もそのままトレイ本体１、それも底面３に受け溜めし、随時吸引して廃棄できるもので、その取り出し口７を塞いでしまう虞のある骨屑等はフィルター材、本実施例では網４に濾過し、除去することができる。
【産業上の利用可能性】
【００２２】
本実施例に係る手術用の洗浄液受けトレイは上述のように構成されている。外形は図に示した長方角台錐状のものに限らず、平面的にオーバル形状でもよく、上面２の開口縁、特に角部分や切り欠き凹部２ａ、２ｂ等には緩衝用のゴムやプラスチックのクッション等を付設することも可能であり、患者の負担を軽減することができる。
【符号の説明】
【００２３】
１    手術用の洗浄液受けトレイ本体
２    上面
２ａ、２ｂ  切り欠き凹部
３    底面
３ａ  基板
３ｂ、３ｃ  ガイド板
３ｄ  頂点部分
４    網
５    枠
６    脚体
７    取り出し口
【図１】
2018007737.tif 000003
【図２】
2018007737.tif 000004